(57)【要約】      （修正有）【課題】発進時や再加速時におけるロックアップクラッチ作動時のショックと燃費の低下を防止する。【解決手段】車速がロックアップの実施可能な状態であると判定し、かつエンジンの運転状態が、ＥＧＲ制御を実施できる運転領域に達していると判定すると、自動変速機のロックアップ機構を作動させてロックアップを実施するとともに、ＥＧＲ装置のＥＧＲ弁を開成してＥＧＲ制御を実施し、ロックアップによる上昇トルクを、ＥＧＲ制御を開始する際のトルクの低下により相殺する。【選択図】図２
2011127570.tif 000002
【特許請求の範囲】
【請求項１】
排気ガスの一部を還流させて吸入空気に混合し得る排気ガス再循環装置を備え、自動変速機に接続される内燃機関において、自動変速機におけるトルク変動が発生するタイミングと、排気ガス再循環装置が作動を開始するタイミングとを同期させる内燃機関の排気ガス再循環装置の制御方法。
【請求項２】
自動変速機が、ロックアップ機構を備えてなり、トルク変動が発生するタイミングが、ロックアップ機構の作動開始時点である請求項１記載の内燃機関の排気ガス再循環装置の制御方法。
【発明の詳細な説明】
【技術分野】
【０００１】
本発明は、排気ガス再循環装置を備えて、自動変速機に接続される内燃機関の排気ガス再循環装置の制御方法に関するものである。
【背景技術】
【０００２】
従来、自動車などでは、燃費の向上などを図るために、エンジン側の駆動軸とトルクコンバータの被動軸とを直結するロックアップ機構を備えた自動変速機に接続されるエンジンを用いている。例えば、特許文献１に記載のものでは、ロックアップ機構の作動時に、ロックアップ遷移状態を検出し、ロックアップ遷移状態の検出信号に基づいて所定のロックアップ遷移状態になった時に、エンジンの点火時期をその時のエンジン回転数に応じて遅角補正するようにして、ロックアップ時のショックを低減するとともにロックアップ移行時間を短縮するようにしている。
【先行技術文献】
【特許文献】
【０００３】
【特許文献１】特開平０３‐１８５２６９号公報
【発明の概要】
【発明が解決しようとする課題】
【０００４】
ところが、このような構成のものであると、点火時期の遅角制御に伴い、筒内圧（圧縮圧）の高い状態で点火を行うことになるので、点火時の要求電圧が高くなることから、点火プラグの消耗が早くなるといった不具合が生じる。このことは、例えば電極間のギャップが広がっている場合など、点火プラグの状態がよくない場合には、点火プラグを損傷する可能性もある。また、遅角していることで燃焼状態が低下し、その結果、燃費が低下することになった。
【０００５】
このような現状にあって、このようなロックアップ機構を備える自動変速機に接続されるエンジンにおいて、排気ガス再循環制御を実施する場合、発進時や再加速時のようなアクセルペダルを操作していない状態からアクセルペダルを踏み込むと、エンジンの負荷の挙動に対して排気ガス再循環制御の挙動は遅れを生じる。このため、アクセルペダルの踏み込み開始からアクセルペダルを一定量踏み込んでいる場合などは、踏み込み開始後に排気ガス再循環制御が後追いで作用するために、排気ガス再循環制御の開始時点で一時的なトルクの低下が生じ、ドライバビリティを低下させる場合が生じた。
【０００６】
したがって、発進時や再加速時にあっては、ロックアップ機構が作動する際と、排気ガス再循環制御を開始する際とに、燃費が低下したりドライバビリティが低下するといった不具合が連続的に発生することになった。
【０００７】
そこで本発明は、このような不具合を解消することを目的としている。
【課題を解決するための手段】
【０００８】
すなわち、本発明の内燃機関の排気ガス再循環装置の制御方法は、排気ガスの一部を還流させて吸入空気に混合し得る排気ガス再循環装置を備え、自動変速機に接続される内燃機関において、自動変速機におけるトルク変動が発生するタイミングと、排気ガス再循環装置が作動を開始するタイミングとを同期させることを特徴とする。
【０００９】
このような構成によれば、自動変速機においてトルク変動が発生するタイミングで、排気ガス再循環装置を作動させることになるので、排気ガス再循環装置の作動開始のタイミングにおけるトルクの低下を抑制することが可能になる。
【００１０】
上述の構成において、自動変速機が、ロックアップ機構を備えてなり、トルク変動が発生するタイミングが、ロックアップ機構の作動開始時点であるものが好ましい。このような構成によれば、ロックアップ機構が作動した時点の係合ショックを軽減することができ、トルク変動を軽減するための点火時期の遅角が不要になる。したがって、燃費の低下を抑制することが可能になるとともに、点火プラグの早期消耗も抑制することが可能になる。
【発明の効果】
【００１１】
本発明は、以上説明したような構成であり、自動変速機においてトルク変動が発生するタイミングで、排気ガス再循環装置を作動させることになるので、排気ガス再循環装置の作動開始のタイミングにおけるトルクの低下を抑制することができる。
【図面の簡単な説明】
【００１２】
【図１】本発明の実施形態の概略構成を示す構成説明図。
【図２】同実施形態の制御手順の概略を示すフローチャート。
【図３】同実施形態の作用説明図。
【発明を実施するための形態】
【００１３】
以下、本発明の一実施形態を、図面を参照して説明する。
【００１４】
この実施形態の車両は、例えば火花点火式で燃料噴射弁を備える多気筒の内燃機関（以下、エンジンと称する）１と、エンジン１に接続される自動変速機２と、エンジン１の運転を制御する電子制御装置３とを搭載している。この車両には、エンジン１の吸入空気量を調整するスロットル弁４の開度を制御するためのアクセル手段であるアクセルペダル５が設けてある。スロットル弁４には、その開度を検出するためのスロットルセンサ６が接続してある。
【００１５】
エンジン１は、排気ガス再循環装置（以下、ＥＧＲ装置と称する）７を備えている。ＥＧＲ装置７は、この分野で広く知られているものを適用することができるもので、排気ガスの一部を、例えば吸気系のサージタンクに還流させる排気ガス還流管路（以下、ＥＧＲ管路と称する）と、そのＥＧＲ管路に設けられてＥＧＲ管路により還流される排気ガス（以下、ＥＧＲガスと称する）の量を制御する排気ガス還流制御弁（以下、ＥＧＲ弁と称する）とを備える。ＥＧＲ弁は例えば、貫通孔を弁体により開閉する構造で、弁体は例えば、ステッパモータにより駆動される。このような構成のＥＧＲ弁では、ＥＧＲ弁の弁開度を、電子制御装置３がステッパモータに供給する信号のステップ数により制御する。したがって、そのステップ数が、ＥＧＲ弁の開度を示すものとなる。なお、ステッパモータに代えてＤＣモータの場合は、例えばＰＭＷ（パルス幅変調）制御などにより通電を制御して、開度を制御するものである。
【００１６】
エンジン１には、その運転状態を検出するために、各種のセンサが取り付けてある。具体的には、エンジン回転数を検出する回転数センサ８を備えるとともに、図示しないアイドルスイッチ、水温センサ、Ｏ2センサ、クランク角センサなどを備える。又、車両には、車速を検出するための車速センサ９が、例えばプロペラシャフトの基端側に取り付けてある。
【００１７】
自動変速機２は、ロックアップ機構１０を備えるトルクコンバータとベルト、チェーンあるいはローラを使用した連続可変変速機構をトルクコンバータの出力側に備える。ロックアップ機構１０自体は、この分野で公知のものであってよく、トルクコンバータの入力側と出力側とをロックアップするロックアップクラッチと、そのロックアップクラッチを駆動するためのロックアップソレノイド１１とを備えている。ロックアップ機構１０は、例えば減速走行時や所定速度以上の走行時など、車速が設定された車速域となった際に、ロックアップソレノイド１１に通電して、ロックアップクラッチを接続することで作動して、ロックアップを実施する。なお、自動変速機としては、連続可変変速機構に代えて、歯車変速機とを備えるものであってもよい。
【００１８】
電子制御装置３は、マイクロコンピュータ３ａを中心として構成してあり、入力インターフェース３ｂとメモリ３ｃと出力インターフェース３ｄとを備えている。入力インターフェース３ｂには、上述した各センサから出力される信号が入力される。又、出力インターフェース３ｄからは、燃料噴射弁を制御する噴射信号、点火プラグに対する点火信号、ＥＧＲ装置７のＥＧＲ弁の開閉を制御する開閉信号、ロックアップ機構１０のロックアップソレノイド１１の作動を制御するためのロックアップ信号などが出力される。
【００１９】
電子制御装置３のメモリ３ｃには、エンジン１の運転を制御するためのプログラム及びそのための各種データが格納してある。この実施形態のＥＧＲ装置制御プログラムは、自動変速機３におけるトルク変動が発生するタイミングと、ＥＧＲ装置７が作動を開始するタイミングとを同期させるようにプログラムされている。以下に、図２及び図３により、この実施形態の制御手順を説明する。なお、このＥＧＲ装置制御プログラムは例えば、エンジン１がアイドル運転状態から部分負荷運転状態に変化する場合に実行する。
【００２０】
まず、ステップＳ１において、スロットルセンサ６から出力されるスロットル開度信号に基づいてスロットル弁４の開度を、回転数センサ８から出力される回転数信号に基づいてエンジン回転数を検出するとともに、車速センサ９から出力される車速信号に基づいて車速を検出する。
【００２１】
次に、ステップＳ２では、検出した車速に基づいて、自動変速機２においてロックアップを実施することができる走行状態であるか否かを判定する。すなわち、ロックアップを実施すると、ロックアップクラッチを接続するタイミングでトルクが変動、具体的には上昇する。なお、この実施形態では、ロックアップの実施を、車速のみで判定するものであるが、車速とスロットル弁開度とを組み合わせて判定のための走行状態の条件を設定するものであってもよい。ステップＳ２において、走行状態が、未だロックアップの実施可能な状態でないと判定した場合は、ステップＳ１に戻る。
【００２２】
一方、ステップＳ２において、走行状態がロックアップの実施可能な状態であると判定した場合は、ステップＳ３において、検出したスロットル弁開度とエンジン回転数とから、エンジン１の運転状態が、ＥＧＲ装置７が作動、つまりＥＧＲ弁の開成を開始してＥＧＲ制御を実施できる運転領域であるか否かを判定する。
【００２３】
ＥＧＲ制御は、アイドル運転状態及び高負荷高回転運転領域を除く運転領域において実施する。したがって、アイドル運転状態からアクセルペダル５を踏み込んだ場合、あるいはアクセルペダル５を全く操作していない状態に一旦戻した後再度アクセルペダル５を踏み込んだ場合に、このプログラムを実行して、ＥＧＲ制御を開始する運転状態になったか否かを判定するものである。ＥＧＲ制御は、ＥＧＲ装置のＥＧＲ弁を開成することにより実施する。
【００２４】
ステップＳ３において、アクセルペダル５を踏み込んだ後、未だにＥＧＲ制御を開始する運転領域にエンジン１の運転状態が達していないと判定した場合は、ステップＳ１に戻る。一方、ＥＧＲ制御を開始する運転領域に達した、つまりＥＧＲ装置７が作動を開始するタイミングであると判定した場合は、ステップＳ４において、ロックアップソレノイドにロックアップ信号を出力して、ロックアップ機構１０のロックアップクラッチをロックアップするとともに、ＥＧＲ弁に対して開成の信号を出力してＥＧＲ弁を開成する。
【００２５】
このような構成において、図３に示すように、アイドル運転状態あるいは再加速に伴ってアクセルペダル５を操作することで、スロットル弁４が閉成している状態から開成し、それに伴ってエンジン回転数、エンジントルク及び車速が上昇する。そして、走行状態つまり車速がロックアップの実施可能な状態であると判定し（ステップＳ２）、かつエンジンの運転状態が、ＥＧＲ制御を実施できる運転領域に達していると判定すると（ステップＳ３）、自動変速機２のロックアップ機構１０を作動させてロックアップを実施するとともに、ＥＧＲ装置７のＥＧＲ弁を開成してＥＧＲ制御を実施する（ステップＳ４）
これによって、ロックアップを実施することで上昇するトルクを、ＥＧＲ制御を開始する際のトルクの低下により相殺することができる。この結果、ロックアップを実施する際のショックを軽減することができ、ドライバビリティを向上させることができる。
【００２６】
また、ロックアップを実施する場合に点火時期を遅角させないので、燃費が低下することを抑制することができるとともに、点火プラグの早期消耗を抑えることができる。
【００２７】
なお、上述の実施形態にあっては、自動変速機２がロックアップ機構１０を備えるものを説明したが、ロックアップ機構を備えずにトルクコンバータと多段の変速機構とを備える自動変速機であってもよい。この場合、ロックアップに代えて、多段の変速機構が、発進後あるいは再加速後最初に、低速段から高速段に切り替えるタイミングを走行状態より検出して、そのような変速段の切り替えのタイミングとＥＧＲ制御の開始のタイミングとを同期させるものであってもよい。このような多段の変速機構を備える自動変速機の場合では、変速段の切り替えの際に、上述のロックアップの場合と同様のトルク変動が発生するものであるので、上述の実施形態の場合と同等の効果を得ることができる。
【００２８】
その他、各部の具体的構成についても上記実施形態に限られるものではなく、本発明の趣旨を逸脱しない範囲で種々変形が可能である。
【産業上の利用可能性】
【００２９】
本発明の活用例として、自動変速機に接続される、ＥＧＲ装置を備える内燃機関を車両に搭載するものが挙げられる。
【符号の説明】
【００３０】
１…内燃機関
２…自動変速機
３…電子制御装置
３ａ…マイクロコンピュータ
３ｂ…入力インターフェース
３ｃ…メモリ
３ｄ…出力インターフェース
６…スロットルセンサ
７…排気ガス再循環装置
８…回転数センサ
９…車速センサ
１０…ロックアップ機構
【図１】
2011127570.tif 000003
【図２】
2011127570.tif 000004
【図３】
2011127570.tif 000005